(57)【特許請求の範囲】
【請求項１】
ユーザに画像を提示可能な表示部を有し、ユーザの頭部に装着可能に構成された本体と、
前記本体に対して着脱可能に構成されたノーズパッドと、
前記本体と、前記本体に装着された前記ノーズパッドとの間に、前記表示部に対向する補正眼鏡を保持することが可能な保持機構と
を具備し、
前記ノーズパッドは、前記本体に対して第１の軸方向と直交する第２の軸方向に沿って装着され、
前記保持機構は、
前記本体に設けられ前記補正眼鏡のブリッジ部と係合可能な係合部と、
前記ノーズパッドに設けられ、前記係合部と前記第１の軸方向に対向し、前記係合部に係合した前記ブリッジ部の少なくとも一部を被覆する装着部と、
前記本体に設けられ前記第２の軸方向に沿って形成された孔部と、
前記ノーズパッドに設けられ前記孔部に嵌合する軸部と、を有する
ヘッドマウントディスプレイ。
【請求項２】
請求項１に記載のヘッドマウントディスプレイであって、
前記ノーズパッドは、一対のパッド部をさらに有し、
前記装着部は、前記一対のパッド部の間に形成される
ヘッドマウントディスプレイ。
【請求項３】
ユーザに画像を提示可能な表示部を有し、ユーザの頭部に装着可能に構成された本体と、
前記本体に対して着脱可能に構成されたノーズパッドと、
前記表示部に対向して配置される補正眼鏡と、
前記本体と、前記本体に装着された前記ノーズパッドとの間に、前記補正眼鏡を保持することが可能な保持機構と
を具備し、
前記補正眼鏡は、
２つのレンズ部と、
第１の軸方向に突出する軸部を有し前記２つのレンズ部を相互に連結するブリッジ部と、を有し、
前記保持機構は、
前記本体に設けられ、前記ブリッジ部と係合可能な係合部と、
前記ノーズパッドに設けられ、前記係合部と第１の軸方向に対向し、前記係合部に係合した前記ブリッジ部の少なくとも一部を被覆する装着部と、
前記係合部の底部に形成され前記軸部が嵌合する孔部と、を有する
ヘッドマウントディスプレイ。
【請求項４】
請求項３に記載のヘッドマウントディスプレイであって、
前記補正眼鏡は、視力矯正眼鏡である
ヘッドマウントディスプレイ。
【請求項５】
請求項３に記載のヘッドマウントディスプレイであって、
前記２つのレンズ部は、前記表示部の外側に配置され、
前記補正眼鏡は、
前記ブリッジ部に連結される第１の端部と、前記保持機構に保持される第２の端部と、前記第１の端部と前記第２の端部との間に設けられ前記本体を跨ぐ屈曲部とを有する懸架部
をさらに有する
ヘッドマウントディスプレイ。
【発明の詳細な説明】
【技術分野】
【０００１】
本技術は、ユーザの頭部に装着して使用されるヘッドマウントディスプレイに関する。
【背景技術】
【０００２】
ユーザの頭部に装着され、眼前に配置されたディスプレイによってユーザ個人に画像を提示するように構成されたヘッドマウントディスプレイ（以下、ＨＭＤともいう。）が知られている。【０００３】
ＨＭＤは、画像の視認性や意匠性の向上あるいは小型化などのため、ユーザの装着時に、ユーザの顔とＨＭＤとの間に大きなスペースが生じないように設計されている。したがって、例えば、視力矯正用の眼鏡を使用するユーザにとっては、眼鏡の配置スペースが殆どないことから、ＨＭＤの装着性に不具合が生じていた。このため、視力を矯正するための補正レンズを取り付け可能に構成されたＨＭＤが提案されている（特許文献１参照）。
【先行技術文献】
【特許文献】
【０００４】
【特許文献１】特開２０１３−１７１２２４号公報
【発明の概要】
【発明が解決しようとする課題】
【０００５】
しかしながら、特許文献１に記載のＨＭＤは、ユーザの眼前に配置される表示部周辺の体裁面に上記補正レンズのロック機構が露出しているため、デザイン的に問題があった。また上記ロック機構の部品点数が多いため、構造が複雑化し、組立性が低下するという問題があった。【０００６】
以上のような事情に鑑み、本技術の目的は、簡素な構成で視力矯正用の眼鏡を保持することができるヘッドマウントディスプレイを提供することにある。
【課題を解決するための手段】
【０００７】
上記目的を達成するため、本技術の一形態に係るヘッドマウントディスプレイは、本体と、ノーズパッドと、保持機構とを具備する。
上記本体は、ユーザに画像を提示可能な表示部を有し、ユーザの頭部に装着可能に構成される。
上記ノーズパッドは、上記本体に対して着脱可能に構成される。
上記保持機構は、上記本体と、上記本体に装着された前記ノーズパッドとの間に、上記表示部に対向する補正眼鏡を保持することが可能に構成される。【０００８】
上記ヘッドマウントディスプレイは、本体とノーズパッドとの間に設けられた保持機構によって補正眼鏡を保持することが可能に構成されているため、簡素な構成で補正眼鏡を保持することができる。【０００９】
補正眼鏡としては、典型的には、視力矯正眼鏡が該当する。これ以外にも光学フィルタ等の各種光学機能を備えた眼鏡が採用可能である。【００１０】
上記保持機構は、係合部と、装着部とを有してもよい。上記係合部は、上記本体に設けられ、上記補正眼鏡のブリッジ部と係合可能に構成される。上記装着部は、上記ノーズパッドに設けられ、上記係合部と第１の軸方向に対向し、上記係合部に係合した上記ブリッジ部を被覆する。
これによりユーザの眼前に配置される表示部周辺の体裁面のデザイン性を高めることができる。【００１１】
上記ノーズパッドは、一対のパッド部をさらに有し、上記装着部は、上記一対のパッド部の間に形成されてもよい。
ノーズパッドは、典型的には、ユーザに応じて鼻の大きさや形によって選択可能に複数種類用意される。上記構成によれば、装着部の構成を共通としつつ、一対のパッド部の形状等がユーザに応じて最適化された複数種類のノーズパッドを作製することができる。【００１２】
上記ノーズパッドは、上記本体に対して上記第１の軸方向と直交する第２の軸方向に沿って装着されてもよい。
これにより、本体に対する補正眼鏡の着脱操作性を向上させることができる。【００１３】
上記保持機構は、孔部と軸部とをさらに有してもよい。上記孔部は、上記本体に設けられ、上記第２の軸方向に沿って形成される。上記軸部は、上記ノーズパッドに設けられ、上記孔部に嵌合可能に構成される。
これにより、本体に対するノーズパッドの位置決め精度を確保することができる。【００１４】
本技術の他の形態に係るヘッドマウントディスプレイは、本体と、ノーズパッドと、補正眼鏡と、保持機構とを具備する。
上記本体は、ユーザに画像を提示可能な表示部を有し、ユーザの頭部に装着可能に構成される。
上記ノーズパッドは、上記本体に対して着脱可能に構成される。
上記補正眼鏡は、上記表示部に対向して配置される。
上記保持機構は、上記本体と、上記本体に装着された上記ノーズパッドとの間に、上記補正眼鏡を保持することが可能に構成される。【００１５】
上記ヘッドマウントディスプレイは、本体とノーズパッドとの間に設けられた保持機構によって補正眼鏡を保持することが可能に構成されているため、簡素な構成で補正眼鏡を保持することができる。【００１６】
上記補正眼鏡は、典型的には、２つのレンズ部と、上記２つのレンズ部を相互に連結するブリッジ部とを有する。この場合、上記保持機構は、係合部と、装着部とを有してもよい。上記係合部は、上記本体に設けられ、上記ブリッジ部と係合可能に構成される。上記装着部は、上記ノーズパッドに設けられ、上記係合部と第１の軸方向に対向し、上記係合部に係合した上記ブリッジ部を被覆する。
これによりユーザの眼前に配置される表示部周辺の体裁面のデザイン性を高めることができる。【００１７】
上記ブリッジ部は、上記第１の軸方向に突出する軸部を有し、上記保持機構は、上記係合部の底部に形成され上記軸部が嵌合する孔部をさらに有してもよい。
これにより係合部に対するブリッジ部の位置決め精度を確保することができる。【００１８】
補正眼鏡は、表示部の内側（背面側）に配置されてもよいし、表示部の外側（正面側）に配置されてもよい。例えば、近視などで表示部の表示画像や遠景が見えにくいユーザにとっては、補正眼鏡が表示部の内側に配置されるのが好適である。一方、遠視などで近景が見えにくいユーザにとっては、補正眼鏡が表示部の外側に配置されるのが好適である。
【発明の効果】
【００１９】
以上のように、本技術によれば、簡素な構成で視力矯正用の眼鏡を保持することができる。
なお、ここに記載された効果は必ずしも限定されるものではなく、本開示中に記載されたいずれかの効果であってもよい。
【図面の簡単な説明】
【００２０】
【図１】本技術の第１の実施形態に係るヘッドマウントディスプレイの正面から見た全体斜視図である。
【図２】上記ヘッドマウントディスプレイの背面から見た要部斜視図である。
【図３】上記ヘッドマウントディスプレイにおいて、ノーズパッドおよび補正眼鏡が本体から取り外された状態を示す分解斜視図である。
【図４】上記ヘッドマウントディスプレイにおいて、ノーズパッドが本体から取り外された状態および本体へ装着された状態を示す要部斜視図である。
【図５】上記ヘッドマウントディスプレイにおいて、ノーズパッドが本体から取り外された状態および本体へ装着された状態を示す要部斜視図である。
【図６】上記ヘッドマウントディスプレイにおいて、ノーズパッドが本体から取り外された状態を示す要部断面斜視図である。
【図７】上記ヘッドマウントディスプレイにおいて、ノーズパッドが本体へ装着された状態を示す要部断面斜視図である。
【図８】本技術の第２の実施形態に係るヘッドマウントディスプレイの構成を示す概略平面図である。
【図９】上記ヘッドマウントディスプレイにおける補正眼鏡の一構成例を示す斜視図である。
【発明を実施するための形態】
【００２１】
以下、本技術に係る実施形態を、図面を参照しながら説明する。
【００２２】
＜第１の実施形態＞
図１および図２は本技術の第１の実施形態に係るヘッドマウントディスプレイを示しており、図１は正面側から見た全体斜視図、図２は背面側から見た要部斜視図である。各図においてＸ、ＹおよびＺ軸は相互に直交する３軸方向であって、Ｘ軸は前後方向を、Ｙ軸は左右方向を、そしてＺ軸は高さ方向をそれぞれ示している。
【００２３】
［ヘッドマウントディスプレイの構成］
本実施形態のヘッドマウントディスプレイ１００は、本体１０と、ノーズパッド２０とを有する。
【００２４】
（本体）
本体１０は、ユーザに画像を提示可能な表示部１１を有し、ユーザの頭部に装着可能に構成される。すなわち本体１０は、表示部１１と、表示部１１を支持するフレーム部１２と、フレーム部１２に固定されたテンプル部１３Ｒ，１３Ｌとを有する。
【００２５】
表示部１１は、表示板１１１Ｒ，１１１Ｌと、光学ユニット１１２Ｒ，１１２Ｌとを有する。表示部１１によってユーザへ提示される画像は、２Ｄ画像でもよいし、３Ｄ画像でもよい。
【００２６】
表示板１１１Ｒ，１１１Ｌは、ユーザの眼前に配置され、ユーザに提示される画像を表示することが可能に構成される。表示板１１１Ｒは右眼用画像を表示し、表示板１１１Ｌは左眼用画像を表示する。本実施形態において表示板１１１Ｒ，１１１Ｌは、光学ユニット１１２Ｒ，１１２Ｌから投影される画像をユーザの右眼および左眼へ出射することが可能な透光性の導光板で構成される。表示板１１１Ｒ，１１１Ｌ各々は、共通の部材で構成されてもよいし、別部材で構成されてもよい。
【００２７】
光学ユニット１１２Ｒ，１１２Ｌは、フレーム部１２の右側縁部および左側縁部にそれぞれ固定され、表示板１１１Ｒ，１１１Ｌへ右眼用画像および左眼用画像をそれぞれ投影する。光学ユニット１１２Ｒ，１１２Ｌの構造は、表示板１１１Ｒ，１１１Ｌへ画像を投影できる構成であれば特に限定されない。典型的には、画像形成素子と、画像形成素子で形成された画像を表示板１１１Ｒ，１１１Ｌへ投影する光学プリズムと、これらを収容するキャビネット等を有する。画像形成素子として液晶パネルが用いられてもよいし、ＬＥＤやＥＬ素子等の自発光パネルが用いられてもよい。
【００２８】
フレーム部１２は、表示板１１１Ｒ，１１１Ｌを各々支持するリムとこれらを連結するブリッジとを含む枠体であって、例えばマグネシウム合金やアルミニウム合金等の金属材料で構成される。
【００２９】
テンプル部１３Ｒ，１３Ｌは、フレーム部１２の右縁および左縁から各々後方に向かって延び、ユーザの両側頭部および両耳の上部に装着可能な形状に形成される。テンプル部１３Ｒ，１３Ｌは、フレーム部１２に対して適度に変形可能な合成樹脂材料等で構成される。本実施形態においてテンプル部１３Ｒ，１３Ｌは、フレーム部１２の上面に固定される連結部１３１を介して相互に連結された単一の部材で構成されているが、これに限られず各々別部材で構成されてもよい。
【００３０】
（ノーズパッド）
ノーズパッド２０は、本体１０のフレーム部１２に対して着脱可能に構成される。ノーズパッド２０は、ヘッドマウントディスプレイ１００を装着するユーザの鼻に当接し、これにより表示部１１をユーザの眼前に配置させる。ノーズパッド２０は、典型的には、ユーザに応じて鼻の大きさや形によって選択可能に複数種類用意される。
【００３１】
図３は、本体１０からノーズパッド２０および補正眼鏡４０が取り外された状態を示すヘッドマウントディスプレイ１００の要部の分解斜視図である。
【００３２】
ノーズパッド２０は、例えば合成樹脂材料の射出成形体で構成され、一対のパッド部２１１Ｒ，２１１Ｌと、これら一対のパッド部２１１Ｒ，２１１Ｌの間に形成された装着部２２とを有する。装着部２２は、フレーム部１２の中央部下縁に位置する左右のリム部１２ｗＬ，１２ｗＲに各々係合可能な２つのアーム部２２１Ｒ，２２１Ｌを有し、パッド部２１１Ｒ，２１１Ｌはこれらアーム部２２１Ｒ，２２１Ｌにそれぞれ一体的に設けられている。
【００３３】
ノーズパッド２０は、ヘッドマウントディスプレイ１００に任意に装着される補正眼鏡４０の保持具としての機能をも有する。補正眼鏡４０は、表示部１１とＸ軸方向（第１の軸方向）に対向して配置される。本実施形態において補正眼鏡４０は、視力矯正眼鏡で構成され、表示部１１の内側（背面側）に配置される。
【００３４】
補正眼鏡４０は、一対のレンズ部４１Ｒ，４１Ｌと、これらを連結するブリッジ部４２とを有する。一対のレンズ部４１Ｒ，４１Ｌは、例えばガラス材料あるいは透明なプラスチック材料で構成され、ブリッジ部４２は、例えば金属材料で構成される。補正眼鏡４０は、本体１０とノーズパッド２０との間に挟持されることで、表示部１１の内面に対向する位置に固定される。
【００３５】
補正眼鏡４０は、典型的には、近視などによって、表示部１１から提示される画像（無限遠に設定されたＡＲ画像）あるいは遠方風景が見えにくいユーザ向けに設計された矯正レンズで構成される。補正眼鏡４０は、ヘッドマウントディスプレイ１００の専用品として構成されるが、勿論これに限られず、汎用の市販品等であってもよい。
【００３６】
ヘッドマウントディスプレイ１００は、表示部１１に対向する補正眼鏡４０を保持することが可能な保持機構５０をさらに有する。保持機構５０は、本体１０と、本体１０に装着されたノーズパッド２０との間に設けられる。
【００３７】
以下、ノーズパッド２０およびフレーム部１２の細部の構成と併せて、保持機構５０の詳細について説明する。
【００３８】
（保持機構）
図４Ａ，Ｂはそれぞれ、ノーズパッド２０の非装着状態および装着状態を示す表示部１１の背面側の要部斜視図であり、図５Ａ，Ｂはそれぞれ、その正面側の要部斜視図である。図６および図７はそれぞれ、ノーズパッド２０の非装着状態および装着状態を示す本体１０の中央部の縦断斜視図である。
【００３９】
ノーズパッド２０は、本体１０に対してＺ軸方向（第２の軸方向）に沿って着脱可能に構成される。ノーズパッド２０は、本体１０の下方からフレーム部１２の中央に装着される。ノーズパッド２０の装着部２２は、フレーム部１２の中央に形成された薄肉部１２ｗに対応する逆Ｖ字形状に形成される。装着部２２は、各アーム部２２１Ｒ，２２１Ｌが薄肉部１２ｗのリム部１２ｗＲ，１２ｗＬに対向するように、薄肉部１２ｗを内面側から被覆する。
【００４０】
装着部２２は、フランジ部２２２を有する。フランジ部２２２は、図５Ａ，Ｂに示すように、逆Ｖ字形状の装着部２２の下縁に沿って、当該下縁から前方（＋Ｘ方向）に向かって突出するように形成される。フランジ部２２２は、本体１０へのノーズパッド２０の装着時、フレーム部１２（薄肉部１２ｗ）の下縁に対向して配置される。
【００４１】
フランジ部２２２には、アーム部２２１Ｒ，２２１Ｌ各々の先端に相当する位置に、上方へ突出する突起部２２２ｐが設けられている。突起部２２２ｐは、本体１０へのノーズパッド２０の装着時、リム部１２ｗＲ，１２ｗＬ各々の底面に形成された係合孔１２ｗｐにそれぞれ係合するように構成される。
【００４２】
フランジ部２２２にはさらに、その頂部に相当する位置に、上方へ突出する基準ピン２３（軸部）が設けられている。基準ピン２３は、本体１０へのノーズパッド２０の装着時、フレーム部１２の中央部底面に形成された基準孔Ｖ（孔部）に嵌合するように構成される。基準孔Ｖは、Ｚ軸方向に沿って形成された所定深さの丸孔で構成され、表示部１１の光学系の調整の際にも使用される。本実施形態では、この基準孔Ｖがノーズパッド２０の位置決め基準として兼用される。
【００４３】
図４Ａに示すように、装着部２２には、係合孔２２４を有する突出片２２３が設けられている。突出片２２３は、装着部２２の頂部２２ｔから上方に向かって突出し、Ｙ軸方向に長手方向を有する壁部で構成される。係合孔２２４は、突出片２２３をＸ軸方向に貫通するように形成された、Ｙ軸方向に長軸を有する長孔で形成される。突出片２２３は、本体１０へのノーズパッド２０の装着時、薄肉部１２ｗの上端部１２ｔに設けられた矩形孔１２ｈに挿通される。
【００４４】
図６および図７に示すように、矩形孔１２ｈの内部には、係合孔２２４に係合可能な弾性突部３０１が設けられている。弾性突部３０１は、装着部２２の頂部２２ｔが薄肉部１２ｗの上端部１２ｔに接触したときに係合孔２２４に係合する位置に配置される。弾性突部３０１は、所定形状に折り曲げられた金属板３０の上端部に形成され、Ｘ軸方向に沿って弾性変形可能に構成される。金属板３０は、本体部３０２を有し、本体部３０２は、薄肉部１２ｗの一部を構成する保持片３２とフレーム部１２との間に挟持される。
【００４５】
保持片３２は、例えば合成樹脂材料で構成され、複数本のネジ部材Ｓ１，Ｓ２を介してフレーム部１２に固定される。ネジ部材Ｓ１、Ｓ２は、フレーム部１２の基準孔Ｖを挟むように各々２つずつ取り付けられる（図４Ａ参照）。
【００４６】
装着部２２は、突出片２２３の係合孔２２４と弾性突部３０１との係合作用により、フレーム部１２へ固定される。弾性突部３０１がＸ軸方向に弾性変形可能に構成されているため、ノーズパッド２０のフレーム部１２への取り付け、および、フレーム部１２からの取り外しを容易に行うことができる。
【００４７】
保持片３２は、補正眼鏡４０のブリッジ部４２と係合可能な係合溝３２０（係合部）を有する。係合溝３２０は、Ｙ軸方向に沿って延び、ブリッジ部４２の幅と同等もしくは当該幅より若干大きな幅で形成される。これにより補正眼鏡４０は、表示部１１の内面に対向する所定位置に配置される。ノーズパッド２０の装着部２２は、フレーム部１２に装着された際、係合溝３２０に係合したブリッジ部４２を被覆するように保持片３２にＸ軸方向に対向する。
【００４８】
本実施形態では、補正眼鏡４０のブリッジ部４２に、係合溝３２０の底部に向かって突出する軸部４２１が設けられている（図３参照）。一方、係合溝３２０の底部には、軸部４２１が嵌合する孔部３２１が設けられている（図４Ａ参照）。これによりブリッジ部４２は、上下および左右方向の位置決めがなされる。
【００４９】
本実施形態において軸部４２１は、ブリッジ部４２の複数箇所に設けられるが、これに限られず単数であってもよい。
【００５０】
以上のように、本体１０に設けられた保持片３２と、ノーズパッド２０の装着部２２とにより、補正眼鏡４０を保持する保持機構５０が構成される。保持機構５０は、ブリッジ部４２を保持片３２と装着部２２の間に挟持するようにして、補正眼鏡４０を本体１０に固定する。
【００５１】
［ヘッドマウントディスプレイの動作］
次に、以上のように構成される本実施形態に係るヘッドマウントディスプレイ１００の典型的な動作について説明する。
【００５２】
ヘッドマウントディスプレイ１００は、ユーザの頭部に装着された状態で使用される。表示部１１は、一対の光学ユニット１１２Ｒ，１１２Ｌから表示板１１１Ｒ，１１１Ｌへ各々投影された画像をユーザへ提示する。本実施形態において表示板１１１Ｒ，１１１Ｌは透光性を有する導光板で構成されるため、ユーザは前方視野と表示画像を同時に視認することができる。
【００５３】
表示画像は２次元画像であってもよいし３次元画像であってもよい。典型的には、光学ユニット１１２Ｒ，１１２Ｌは、図示しない制御部より入力された画像データを表示板１１１Ｒ，１１１Ｌへ各々投影する。
【００５４】
本実施形態のヘッドマウントディスプレイ１００は、視力矯正用の補正眼鏡４０を装着可能に構成される。補正眼鏡４０は、ユーザの視力に応じて選択される。したがって視力矯正の必要のないユーザにとっては、補正眼鏡４０が取り外された状態でヘッドマウントディスプレイ１００が使用される。
【００５５】
補正眼鏡４０を本体１０に装着するに際しては、図３に示すように、本体１０からノーズパッド２０が取り外される。ノーズパッド２０は、本体１０に対して下方（−Ｚ方向）へスライドさせることで、本体１０から分離される。そして、本体１０の内面中央部に露出した保持片３２の係合溝３２０に、補正眼鏡４０のブリッジ部４２を係合させる。このとき、ブリッジ部４２の軸部４２１が係合溝３２０の孔部３２１に嵌合するようにブリッジ部４２が係合溝３２０に配置される。
【００５６】
続いて、ノーズパッド２０を再び本体１０へ装着する。本体１０に対するノーズパッド２０の装着は、ノーズパッド２０の装着部２２を本体１０に対して上方（＋Ｚ方向）へスライドさせる。このとき、ノーズパッド２０の基準ピン２３を本体１０の基準孔Ｖに嵌合させることで、本体１０に対するノーズパッド２０の位置決め精度を確保することができる。
【００５７】
そして上記方向へノーズパッド２０を更にスライドさせ、装着部２２の頂部２２ｔが薄肉部１２ｗの上端部１２ｔに接触する位置まで上昇すると、矩形孔１２ｈに挿通された突出片２２３の係合孔２２４に弾性突部３０１が係合し、これにより装着部２２が本体１０に保持される。同時に、装着部２２の下端に設けられた一対の突起部２２２ｐが薄肉部１２ｗの底面に設けられた一対の係合孔１２ｗｐにそれぞれ係合し、装着部２２のフランジ部２２２は、薄肉部１２ｗの下縁を被覆するように配置される。この場合、フランジ部２２２は、フレーム部１２の底面に連続して整列し得るように構成されてもよい。
【００５８】
以上のように本実施形態のヘッドマウントディスプレイ１００においては、本体１０とノーズパッド２０との間に設けられた保持機構５０によって補正眼鏡４０を保持することが可能に構成されている。これにより、複雑なメカ機構を必要とすることなく、簡素な構成で補正眼鏡４０を安定に保持することが可能となる。
【００５９】
本実施形態によれば、本体１０に対する補正眼鏡４０の着脱方向と、本体１０に対するノーズパッド２０の着脱方向とが相互にほぼ直交しているため、本体１０に対する補正眼鏡４０の着脱操作性を向上させることができる。すなわち、例えば、ノーズパッド２０の取り外し時に誤って補正眼鏡４０が落下する等の作業ミスを抑制することができる。
【００６０】
また本実施形態においては、ノーズパッド２０の装着部２２が保持片３２の係合溝３２０に係合した補正眼鏡４０のブリッジ部４２の少なくとも一部、好ましくは全体を被覆するように構成されているため、ユーザの眼前に配置される表示部１１周辺の体裁面のデザイン性を高めることができる。
【００６１】
さらに本実施形態においては、装着部２２が一対のパッド部２１１Ｒ，２１１Ｌの間に形成されているため、装着部２２の構成を共通としつつ、一対のパッド部の形状等がユーザに応じて最適化された複数種類のノーズパッドを作製することができる。
【００６２】
そして本実施形態によれば、本体１０に対するノーズパッド２０および補正眼鏡４０の着脱を容易に行うことができるため、ノーズパッド２０の洗浄、補正眼鏡４０の手入れ等のメンテナンスも容易となり、ユーザにとって使い勝手のよいヘッドマウントディスプレイ１００を提供することができる。
【００６３】
＜第２の実施形態＞
図８は、本技術の第２の実施形態に係るヘッドマウントディスプレイの構成を示す概略平面図である。以下、第１の実施形態と異なる構成について主に説明し、上述の実施形態と同様の構成については同様の符号を付しその説明を省略または簡略化する。
【００６４】
本実施形態のヘッドマウントディスプレイ２００は、表示部１１を有する本体１０と、補正眼鏡２４０とを有する。本実施形態では、補正眼鏡２４０の２つのレンズ部４１Ｒ，４１Ｌが、表示部１１の外側（正面側）に配置されている点で、上述の第１の実施形態と異なる。
【００６５】
図９は、補正眼鏡２４０の一構成例を示す斜視図である。補正眼鏡２４０は、２つのレンズ部４１Ｒ，４１Ｌと、ブリッジ部４２と、懸架部４３とを有する。
【００６６】
２つのレンズ部４１Ｒ，４１Ｌは、表示部１１の外側に配置される。図８に示すようにレンズ部４１Ｒ，４１Ｌは、表示板１１１Ｒ，１１１Ｌ（表示部１１）の外側に配置される。ブリッジ部４２は、表示部１１の外側に配置され、２つのレンズ部４１Ｒ，４１Ｌを相互に連結する。懸架部４３は、図９に示すように、ブリッジ部４２に連結される第１の端部４３１と、保持機構５０に保持される第２の端部４３２と、第１の端部４３１と第２の端部４３２との間に設けられ、本体１０を跨ぐ屈曲部４３３とを有する。
【００６７】
懸架部４３において、第２の端部４３２は、保持機構５０を構成する保持片３２および装着部２２の間に保持される。第２の端部４３２には、保持片３２の係合溝３２０の底部に形成された孔部３２１に嵌合する２つの軸部４３４が設けられている。懸架部４３は、第２の端部４３２を保持機構５０に保持した状態で、レンズ部４１Ｒ，４１Ｌを表示板１１１Ｒ，１１１Ｌの外側に対向配置させる。
【００６８】
以上のように構成される本実施形態のヘッドマウントディスプレイ２００においては、補正眼鏡２４０のレンズ部４１Ｒ，４１Ｌは、遠視などで近景が見えにくいユーザにとって近景を見やすくする矯正レンズで構成される。この場合、図８に示すように、表示板１１１Ｒ，１１１Ｌによって表示される画像ＶR、ＶL（無限遠に設定されたＡＲ画像）はレンズ部４１Ｒ，４１Ｌを通らないため、画像ＶR、ＶLの視認性を低下させることなく遠視を矯正することが可能となる。
【００６９】
以上、本技術の実施形態について説明したが、本技術は上述の実施形態にのみ限定されるものではなく、本技術の要旨を逸脱しない範囲内において種々変更を加え得ることは勿論である。
【００７０】
例えば以上の実施形態では、ノーズパッド２０を本体１０に対して直線的にスライドさせることで補正眼鏡４０を着脱するように構成されたが、これに代えて、ノーズパッド２０を本体１０に対して回動させたり、跳ね上げたりして、補正眼鏡４０の着脱を可能に構成されてもよい。
【００７１】
また補正眼鏡４０が常時装着される場合には、当該補正眼鏡を表示板１１１Ｒ，１１１Ｌの保護カバーとして兼用してもよい。この場合、当該保護カバーを別途設置する必要がなくなるとともに、補正眼鏡４０の設置スペースが得られるため眼鏡の種類に応じて配置の自由度を高めることができる。
【００７２】
また以上の実施形態では、ノーズパッド２０を本体１０から分離した状態で補正眼鏡４０を着脱するように構成されたが、これに限られない。例えば、保持片３２の係合溝３２０が露出する位置までノーズパッド２０が下方へスライド操作されてもノーズパッド２０が本体から分離されないように、ノーズパッド２０が本体１０に対して多段階で上下方向にスライド可能に構成されてもよい。
【００７３】
また、本体１０に設けられる係合部としては、係合溝３２０に限られず、補正眼鏡４０のブリッジ部４２に係合可能な適宜の形態（例えば、突起、段部等）が採用されてもよい。
【００７４】
さらに補正眼鏡４０は、表示板１１１Ｒ，１１１Ｌの傾きや表示板１１１Ｒ，１１１Ｌとの対向距離等に応じて最適化可能に構成されてもよい。また、補正眼鏡４０の厚みや度数に応じて、装用距離が調整可能に構成されてもよい。
【００７５】
なお補正眼鏡４０の構成は上述したようなツーポイントタイプのものに限られず、例えば、リム、ブロウバー、ナイロール、アンダーリム等の他のタイプの眼鏡にも、本技術は適用可能である。
【００７６】
なお、本技術は以下のような構成もとることができる。
（１）ユーザに画像を提示可能な表示部を有し、ユーザの頭部に装着可能に構成された本体と、
前記本体に対して着脱可能に構成されたノーズパッドと、
前記本体と、前記本体に装着された前記ノーズパッドとの間に、前記表示部に対向する補正眼鏡を保持することが可能な保持機構と
を具備するヘッドマウントディスプレイ。
（２）上記（１）に記載のヘッドマウントディスプレイであって、
前記保持機構は、
前記本体に設けられ、前記補正眼鏡のブリッジ部と係合可能な係合部と、
前記ノーズパッドに設けられ、前記係合部と第１の軸方向に対向し、前記係合部に係合した前記ブリッジ部の少なくとも一部を被覆する装着部とを有する
ヘッドマウントディスプレイ。
（３）上記（２）に記載のヘッドマウントディスプレイであって、
前記ノーズパッドは、一対のパッド部をさらに有し、
前記装着部は、前記一対のパッド部の間に形成される
ヘッドマウントディスプレイ。
（４）上記（２）又は（３）に記載のヘッドマウントディスプレイであって、
前記ノーズパッドは、前記本体に対して前記第１の軸方向と直交する第２の軸方向に沿って装着される
ヘッドマウントディスプレイ。
（５）上記（４）に記載のヘッドマウントディスプレイであって、
前記保持機構は、
前記本体に設けられ前記第２の軸方向に沿って形成された孔部と、
前記ノーズパッドに設けられ前記孔部に嵌合する軸部とをさらに有する
ヘッドマウントディスプレイ。
（６）ユーザに画像を提示可能な表示部を有し、ユーザの頭部に装着可能に構成された本体と、
前記本体に対して着脱可能に構成されたノーズパッドと、
前記表示部に対向して配置される補正眼鏡と、
前記本体と、前記本体に装着された前記ノーズパッドとの間に設けられ、前記補正眼鏡を保持することが可能な保持機構と
を具備するヘッドマウントディスプレイ。
（７）上記（６）に記載のヘッドマウントディスプレイであって、
前記補正眼鏡は、２つのレンズ部と、前記２つのレンズ部を相互に連結するブリッジ部とを有し、
前記保持機構は、
前記本体に設けられ、前記ブリッジ部と係合可能な係合部と、
前記ノーズパッドに設けられ、前記係合部と第１の軸方向に対向し、前記係合部に係合した前記ブリッジ部の少なくとも一部を被覆する装着部とを有する
ヘッドマウントディスプレイ。
（８）上記（７）に記載のヘッドマウントディスプレイであって、
前記ブリッジ部は、前記第１の軸方向に突出する軸部を有し、
前記保持機構は、前記係合部の底部に形成され前記軸部が嵌合する孔部をさらに有する
ヘッドマウントディスプレイ。
（９）上記（６）から（８）のいずれか１項に記載のヘッドマウントディスプレイであって、
前記補正眼鏡は、視力矯正眼鏡である
ヘッドマウントディスプレイ。
（１０）上記（６）に記載のヘッドマウントディスプレイであって、
前記補正眼鏡は、
前記表示部の外側に配置される２つのレンズ部と、
前記２つのレンズ部を相互に連結するブリッジ部と、
前記ブリッジ部に連結される第１の端部と、前記保持機構に保持される第２の端部と、前記第１の端部と前記第２の端部との間に設けられ前記本体を跨ぐ屈曲部とを有する懸架部と
を有する
ヘッドマウントディスプレイ。
【符号の説明】
【００７７】
１０…本体
１１…表示部
１２…フレーム部
２０…ノーズパッド
２２…装着部
３２…保持片
４０，２４０…補正眼鏡
４２…ブリッジ部
４３…懸架部
５０…保持機構
１００，２００…ヘッドマウントディスプレイ
【図１】
0006465030.tif 000002
【図２】
0006465030.tif 000003
【図３】
0006465030.tif 000004
【図４】
0006465030.tif 000005
【図５】
0006465030.tif 000006
【図６】
0006465030.tif 000007
【図７】
0006465030.tif 000008
【図８】
0006465030.tif 000009
【図９】
0006465030.tif 000010